(57)【要約】【課題】  本発明は図形の面積を計測するプラニメーターの測定範囲の制限を解除する事。曲線の長さを測るキルビメーターの斜目視追随を廃止し直上から照準する事。片手持ちの測定機の手ぶれ、方位誤差を防止する事。取得した図形データーを次工程で使用する為に通信の手段を有する事。よって軽便で必要精度を保有する手の掌の大きさの可搬性のある図形の計測装置を開発する事を課題としている。【解決手段】  匡体に十字マークの入った照準機構を装備し、匡体内に設置した交叉２方向のＸ方向、Ｙ方向に接触回転する基準尺の測輪によって、照準機構によって目標線に沿って移動する匡体の移動距離を、ＸＹ２方向の分けて計測し計算機構によって要求する線の長さ、または面積を算出するものである。片手持に起因する匡体の変位誤差は内蔵する方位計によって検出修正して精度を維持している。計算結果はデジタル表示板に表示されるが要すれば計測中の原始データーを含め発信機構等によって次工程に通信される。【選択図】図２
2009128353.tif 000002
【特許請求の範囲】
【請求項１】
図形の線に沿って照準点を移動させて図形を計測する機械において、移動を匡体内の交叉座標Ｘ軸Ｙ軸の２方向または極座標の半径ｒ挾角θの２要素に分解するセンサーを有し、さらに匡体に方位センサーを具備して匡体の方位誤差を修正する機構を有し、図形の任意形状の線の長さ、任意形状の面積、交叉線の角度、図形の数値化を３要素のセンサーのデーターを計算機構によって行う事を特徴とするハンデイプラニメーター。
【請求項２】
図形の線の長さ、及び面積の計測を照準点を移動させて専用的にを実施する機械において、移動を匡体内の交叉座標Ｘ軸Ｙ軸の２方向の２要素に分解するセンサーを有する事を特徴とするハンデイプラニメーター。
【請求項３】
図形の交叉座標Ｘ軸Ｙ軸方向または極座標の半径ｒ挾角θ点の移動距離の計測を図面に直接に接触して回転する基準尺の測輪の回転から得る事を特徴とするハンデイプラニメーター。
【請求項４】
図形の計測における移動距離および匡体の方位等の原始データーまたは合成された情報を通信する為の発信機構または接続子を備えた事を特徴とするハンデイプラニメーター。
【発明の詳細な説明】
【技術分野】
【０００１】  本発明は手の掌の大きさの匡体に交叉位置に配置した２方向の接触して回転する基準尺の測輪および方位計によって図形の線の長さ、面積、交叉線の角度、または形状を３要素のデーターの計算機構による計算から求め、表示板に表示し、各種データーを次工程へ通信する機構を有する可搬性のプラニメーターに関するものである。
【背景技術】
【０００２】  図形の面積の計測には、従来からプラニメーターが開発され実用されてきたが測悍の先端に追随照準点があり測定範囲に制限があった。自由な形状の線の長さの計測に関してはキルビメーターがあるが測定線の追随は測輪を斜から目視して行っていて精度に心配があった。図形の数値化読み取りにはＸＹ座標読み取り装置やタブロイド等があるが何れも大形な装置である。手の掌の大きさで正確簡便なものは無かった。
【特許文献１】特開平９−１５９４３５号公報
【特許文献２】特開２０００−３１０５０３号公報
【発明の開示】
【発明が解決しようとする課題】
【０００３】  本発明は図形の面積を計測するプラニメーターの測悍を廃止して測定範囲の制限を解除する事。曲線の長さを測るキルビメーターの斜目視追随照準を廃止し直上から照準する事。片手持ちの測定機の手ぶれ、方位誤差を防止する事。取得した図形データーを次工程で使用する為にデーター通信の手段を有する事。よって軽便で必要精度を保有する可搬性のある図形の計測装置を開発する事を課題としている。
【課題を解決するための手段】
【０００４】  匡体に照準機構を設け、照準機構が追随する移動を匡体内に設けたＸＹ２方向の寸法測定機構によってＸＹ直角２方向に逐次分解計測し計算機構によって実長または面積を計算して表示する。計測中は匡体が測定線に従った移動による手ぶれ等を生ずるので匡体内に設けた方位計によって逐次計算上の方位誤差修正を行う。
【実施例】
【０００５】  本発明の実施例を図１に基付いて説明する。匡体１は手の掌に入る大きさであり先頭部に十字マーク入りレンズの照準機構２がある。匡体１の上面にはデジタル表示板３、リセットスイッチ４ａ、機能選択スイッチ４ｂ、縮尺選択スイッチ４ｃ、尺度単位スイッチ４ｄ信号スイッチ４ｅがある。照準機構２の照準点の対してＸ方向測輪５ｘ、Ｙ方向測輪５ｙは直交等距離に置かれている。【０００６】  図２は断面図である。Ｙ方向測輪５ｙには基準尺の円周に相当するスリット６が設けられている。Ｙ方向の移動量を検出するＹ方向フオトインタラプター７ｙとＹ方向正逆検出フオトインタラプター８ｙがある。Ｘ方向測輪５ｘに関わるスリット、フオトインタラプターはＹ方向のそれと同様である。【０００７】  各測輪５ｘ５ｙ上に置されたフオトインタラプター７ｘ、８ｘ、７ｙ、８ｙ、  及び方位計９から発生された、Ｘ方向、Ｙ方向、方位の３要素の信号は計算機構１０に導入され機能選択スイッチ４ｂ、縮尺選択スイッチ４ｃ、尺度単位スイッチ４ｄによる指示に従った計算を行い計算結果を測定結果としてデジタル表示板３に表示する。【０００８】  図形の線の長さの計測は計測線上に照準機構２の中心を合わせ、リセットスイッチ４ａを押して図形線に沿って匡体１を移動する、既定の細分化プログラムに従って線分に対してＸ方向測輪５ｘは、Ｙ方向には辷って回転せずに、Ｘ方向成分だけ回転してＸ方向に分解され移動距離ｐｘを計測する、Ｙ方向も同様にしてｐｙを計測する、計算機構１０ではｐｘとｐｙの二乗の和の平方根を計算して図形の線分の長さの真値を求める、匡体１の移動に合わせて逐次計算され線分長が積分される。終点で再度リセットスイッチ４ａを押せば作業は終了し積分された線の長さが縮尺選択スイッチ４ｃ、尺度単位スイッチ４ｄの指示に従ってデジタル表示板３に表示される。【０００９】  図形の面積の計測は作業は線の長さの計測と同様であるが、匡体１の方位ぶれを方位計９の方位センサーによって逐次計算修正する。面積の計測は当該面積の周囲の線ガ出発点に回帰して来るので測輪が往復を運動する、計算上は加算、減算をするので各々の回転方向に対してＸ方向正逆検出フオトインタラプター８ｘ、Ｙ方向正逆検出フオトインタラプター８ｙを設置している。【００１０】  発信機構１１及び接続子１２は計測結果のみならず図形の原始データーを信号スイッチ４ｅによって後工程のＰ／Ｃに送信する、表示版のデーターを記録、転記するの手間が排除される。【００１１】  匡体１の図形面に対する支持は各測輪５ｘ、５ｙ加えてスリッパー６の３点であるが、各測輪５ｘ、５ｙは匡体１に対して前後左右には剛に上下にはスプリングで軟に接続されていて、測輪５ｘ、５ｙは適切な圧力で計測面を圧している。
【図面の簡単な説明】
【００１２】
【図１】平面図
【図２】断面図
【符号の説明】
【００１３】  １  匡体
２  照準機構
３  デジタル表示板
４ａ  リセットスイッチ
４ｂ  機能選択スイッチ
４ｃ  縮尺選択スイッチ
４ｄ  尺度単位スイッチ
４ｅ  信号スイッチ
５ｘ  Ｘ方向測輪
５ｙ  Ｙ方向測輪
６  スリット
７ｘ  Ｘ方向フオトインタラプター
７ｙ  Ｙ方向フオトインタラプター
８ｘ  Ｘ方向正逆検出フオトインタラプター
８ｙ  Ｙ方向正逆検出フオトインタラプター
９  方位計
１０  計算機構
１１  発信機構
１２  接続子
１３  スリッパー
【図１】
2009128353.tif 000003
【図２】
2009128353.tif 000004